(57)【要約】【課題】より駆動電圧の低い平面型放電管を提供すること。【解決手段】平面型放電管１は、扁平箱型に形成された筐体２を備え、筐体２の内部空間７には放電ガスＸが封入されることにより放電空間が形成される。平面型放電管１は、底部５の外表面５ａに敷設されることにより誘電体平板としての底部５を挟んで放電空間外に配置された外部電極１０と、放電空間内に配置される内部電極１１とを備え、内部電極１１は、底部５の内表面５ｂに近接して配置される。【選択図】  図２
2005011772.tif 000002
【特許請求の範囲】
【請求項１】
所定間隔にて対向配置された一対の誘電体平板間に放電ガスが封入された放電空間を有する平面型放電管であって、
前記一対の誘電体平板の何れか一方の外表面に設けられ該誘電体平板を挟んで前記放電空間外に配置される外部電極と、前記放電空間内に配置される内部電極とを備えること、を特徴とする平面型放電管。
【請求項２】
誘電体からなり平板状に形成された底部及び蓋部を備えた扁平形状の筐体内に放電ガスが封入された放電空間を有する平面型放電管であって、
前記底部又は前記蓋部の外表面に設けられる外部電極と、前記放電空間内に配置される内部電極とを備えること、を特徴とする平面型放電管。
【請求項３】
請求項２に記載の平面型放電管において、
前記内部電極は、線状に形成されること、を特徴とする平面型放電管。
【請求項４】
請求項２又は請求項３に記載の平面型放電管において、
前記内部電極は、前記底部又は前記蓋部のうち前記外部電極が設けられた方の内表面に近接して配置されること、を特徴とする平面型放電管。
【請求項５】
請求項２〜請求項４のうちの何れか一項に記載の平面型放電管において、
前記内表面の周縁部近傍に対称的に配置された複数の前記内部電極を備えること、を特徴とする平面型放電管。
【請求項６】
請求項２〜請求項５のうちの何れか一項に記載の平面型放電管において、
前記底部及び前記蓋部を支持する補強部材を備えること、
を特徴とする平面型放電管。
【請求項７】
請求項２〜請求項６のうちの何れか一項に記載の平面型放電管において、
前記放電空間を複数の小空間に区分する区画部材を備えること、
を特徴とする平面型放電管。
【請求項８】
請求項２〜請求項７のうちの何れか一項に記載の平面型放電管において、
前記内表面には、蛍光体が塗布されていること、を特徴とする平面型放電管。
【発明の詳細な説明】
【０００１】
【発明の属する技術分野】
本発明は、液晶表示装置のバックライト等に使用される平面型放電管に関するものである。
【０００２】
【従来の技術】
この種の平面型放電管は、所定間隔にて対向配置された一対の誘電体平板（例えばガラス平板等）間に放電ガスが封入された放電空間と、誘電体平板及び放電ガスを挟むように配置された一対の電極とを有している。そして、平面型放電管は、両電極間に高周波交流電圧を印加し放電空間内に誘電体バリア放電を発生させることにより、放電ガスの電離により形成される放電プラズマが発する紫外線を照射し、又は紫外線照射により蛍光体が発する自然光を照射（発光）する。
【０００３】
従来、平面型放電管には、各電極が各誘電体平板の片面にそれぞれ敷設され、両電極がともに誘電体平板を挟んで放電空間の外部に配置される型式（両バリア型）と、誘電体平板上に敷設された各電極のうちの一方が放電空間に面するように配置される型式（片バリア型）とがある。
【０００４】
両バリア型の平面放電管は、両電極間に両誘電体平板及び放電空間を挟む構成であるため、この二枚の誘電体平板の厚みの分だけ両電極間の距離が大きくなり、両電極間に放電に必要な電界強度を与えるための駆動電圧が高くなるという問題がある。
【０００５】
一方、片バリア型では、両電極間に挟まれる誘電体平板は一枚であるため、電極間の距離が近くなるとともに、誘電体平板による誘電損も小さくなるので、その分だけ、駆動電圧を低く抑えることができるという利点がある。しかし、放電空間に面する電極に酸化インジウムスズ（ＩＴＯ）等の透明電極を用いた場合には、放電時に放電空間内に面する電極がスパッタリングされやすいという問題がある。
【０００６】
従来、上記問題点を解決するものとして、放電空間に面する電極上に蛍光体を塗布した片バリア型の平面型放電管が提案されている。そして、このような構成を採用すれば、上記のような放電時のスパッタリングを抑制することができる（特許文献１参照）。
【０００７】
【特許文献１】
特開２００３−３１１８２号公報
【０００８】
【発明が解決しようとする課題】
ところが、上記のような従来の平面型放電管においては、片バリア型の平面型放電管であっても、依然として極めて高い駆動電圧を必要とする。そのため、放電管に印加電圧を供給する電源もまた大型且つ絶縁性の良い高価な電源が必要となるため、結果的に装置全体としてのコストが高くなるという問題がある。
【０００９】
ここで、上記従来の平面型放電管では、両・片バリア型のいずれにおいても、両電極がともに誘電体平板上に敷設される構成であるため、駆動電圧をさらに抑えようとすれば、両誘電体平板間の間隔を更に狭くするか、或いは誘電体平板の厚みを薄くしなればならない。
【００１０】
しかし、一般に、放電管としての発光効率は、両誘電体平板間の距離により規定される放電ギャップに依存するため、両誘電体平板間の間隔の短縮化には限界がある。また、誘電体平板の厚みについても、外気（大気圧）と放電管内の放電ガス圧との圧力差に十分耐えうる剛性強度を確保する必要があるため、単純には誘電体平板の厚みを薄くすることができないという問題がある。
【００１１】
本発明は、上記問題を解決するためになされたものであって、その目的は、より駆動電圧の低い平面型放電管を提供することにある。
【００１２】
【課題を解決するための手段】
上記問題点を解決するために、請求項１に記載の発明では、所定間隔にて対向配置された一対の誘電体平板間に放電ガスが封入された放電空間を有する平面型放電管であって、前記一対の誘電体平板の何れか一方の外表面に設けられ該誘電体平板を挟んで前記放電空間外に配置される外部電極と、前記放電空間内に配置される内部電極とを備えることを特徴とする。
【００１３】
請求項２に記載の発明では、誘電体からなり平板状に形成された底部及び蓋部を備えた扁平形状の筐体内に放電ガスが封入された放電空間を有する平面型放電管であって、前記底部又は前記蓋部の外表面に設けられた外部電極と、前記放電空間内に配置される内部電極とを備えることを特徴とする。
【００１４】
請求項３に記載の発明では、前記内部電極は、線状に形成されることを特徴とする。
請求項４に記載の発明では、前記内部電極は、前記底部又は前記蓋部のうち前記外部電極が設けられた方の内表面に近接して配置されることを特徴とする。
【００１５】
請求項５に記載の発明では、前記内表面の周縁部近傍に対称的に配置された複数の前記内部電極を備えることを特徴とする。
請求項６に記載の発明では、前記底部及び前記蓋部を支持する補強部材を備えることを特徴とする。
【００１６】
請求項７に記載の発明では、前記放電空間を複数の小空間に区分する区画部材を備えることを特徴とする。
請求項８に記載の発明では、前記内表面には、蛍光体が塗布されていることを特徴とする。
【００１７】
（作用）
請求項１に記載の発明によれば、両誘電体平板間の間隔を変更することなく外部電極と内部電極との距離を近く設定することが可能になる。したがって、放電に必要な電界強度を与えるための駆動電圧を低く抑えることが可能になる。その結果、安価な外部電源が利用可能となり、装置全体としてのコストを低く抑えることが可能になる。
【００１８】
請求項２に記載の発明によれば、蓋部と底部との間隔を変更することなく外部電極と内部電極との距離を近く設定することが可能になる。従って、放電に必要な電界強度を与えるための駆動電圧を低く抑えることが可能になる。その結果、安価な外部電源が利用可能となり、装置全体としてのコストを低く抑えることが可能になる。
【００１９】
請求項３に記載の発明によれば、内部電極を線状としたことにより、ニッケル合金等のスパッタリングされ難い材質にて形成することが可能になるので、放電時のスパッタリングが抑制される。また、加工が容易であり製造コストが安くなる。更に、内部電極の陰影が発光の妨げとならない。
【００２０】
請求項４に記載の発明によれば、外部電極と内部電極との距離が近くなるので、放電に必要な電界強度を与えるための駆動電圧が低くなる。
請求項５に記載の発明によれば、複数の内部電極を底部又は蓋部のうち外部電極が設けられた方の内表面の周縁部近傍に対称的に配置するので、放電空間における紫外線放射分布が略均一になり、安定的な発光が得られる。
【００２１】
請求項６に記載の発明によれば、蓋部及び底部が補強部材によって支持され、放電空間内のガス圧と大気圧との圧力差、即ち内外圧力差に対する筐体の剛性強度が高くなるので、蓋部及び底部を薄く形成することが可能になる。これにより、外部電極と内部電極との距離が近くなるとともに、放電時の誘電損が小さくなり、放電に必要な電界強度を与えるための駆動電圧をさらに低く抑えることが可能になる。
【００２２】
請求項７に記載の発明によれば、区画部材により放電空間が複数の小空間に区分され、放電路の空間的広がりが規制されるので、各小空間内での安定的な放電プラズマ形成がなされる。これにより、両電極への高電圧印加時における稲妻状（雷状）の陽光柱の発生が抑制されるので、高電圧印加時においても、一様且つ安定的な発光状態が得られる。
【００２３】
請求項８に記載の発明によれば、安定的且つ一様な可視光の発光状態が得られる。
【００２４】
【発明の実施の形態】
（第１の実施形態）
以下、本発明を平面型放電管に具体化した第１の実施形態について、図面に従って説明する。
【００２５】
図１及び図２に示すように、本実施形態の平面型放電管１は、扁平箱型に形成された筐体２を有している。筐体２は、箱部３と、箱部３の開口部を閉塞する蓋部４とを備えている。箱部３及び蓋部４は、ともにガラス等の透明誘電体により形成されている。箱部３は平板状に形成された底部５を有しており、蓋部４は平板状に形成されている。
【００２６】
蓋部４は、誘電体フリット６を介して箱部３の開口部に固着されており、これにより、一対の誘電体平板としての箱部３の底部５及び蓋部４は、所定間隔にて対向配置されている。そして、箱部３の開口部に蓋部４が固着されることにより閉塞された筐体２の内部空間７には、放電ガスＸが封入されている。本実施形態では、筐体２の内部空間７には、放電ガスＸとしてキセノンガス又はキセノンガスを含む混合ガスが封入されている。そして、本実施形態では、この放電ガスＸが封入された筐体２の内部空間７が放電空間を構成している。
【００２７】
本実施形態では、箱部３の側壁９ａには、内部空間７の空気を放電ガスＸに置換するための封止管８が設けられており、放電ガスＸは、この封止管８を利用して内部空間７内に封入される。尚、内部空間７内の放電ガスＸのガス圧は、大気圧よりもかなり低く設定されている。
【００２８】
平面型放電管１は、筐体２の外表面に配置される外部電極１０と、内部空間７内に配置される内部電極１１とを備えている。本実施形態では、外部電極１０は、箱部３の底部５の外表面（外部空間に面する壁面、図２中、底部５の下側の面）５ａに敷設されている。即ち、外部電極１０は、底部５を挟んで放電空間の外部に配置されている。尚、本実施形態では、外部電極１０は、アルミ又は銀等の金属を外表面５ａに蒸着することにより鏡面状に形成されている。そして、外部電極１０の一端には、外部電源（図示せず）に接続するための導電端子１２が取着されている。
【００２９】
一方、本実施形態の内部電極１１は線状に形成されている。内部電極１１の両端には、給電線としてのジメット線１３が接続されており、各ジメット線１３は、それぞれ箱部３の対向する２つの側壁９ｂ，９ｃから外部へと取り出されている。そして、内部電極１１は、これらのジメット線１３に支持されることにより、筐体２の内部空間７内に配置されている。尚、内部電極１１は、実質的に線状であればよく、その直径及び断面形状は、どのようなものであってもよい。
【００３０】
本実施形態では、内部電極１１は、箱部３の底部５の内表面（放電空間に面する面、図２中、底部５の上側の面）５ｂに近接して、該内表面５ｂに沿うように配置されている。また、内部電極１１は、底部５の内表面５ｂの周縁部近傍に配置されている。詳しくは、内部電極１１は、箱部３の側壁９ｄ（図２中、箱部３の左側の側壁）に沿って配置されている。
【００３１】
尚、本実施形態では、内部電極１１は、放電時にスパッタリングされにくい材料、例えばニッケル合金等で形成されている。また、ジメット線１３は、例えば、銅とニッケルの合金にて形成されており、内部電極１１との接続部を含む放電空間としての内部空間７内に配置される部分は、放電時における熱延びを吸収するため波状に形成されている。そして、筐体２の外部に引き出されたジメット線１３の何れか一方は、図示しない外部電源に接続される。
【００３２】
上記のように構成された平面型放電管１では、外部電極１０及び内部電極１１間に外部電源を通じて所定の駆動電圧を印加し放電に必要な電界強度（Ｖ／ｍ）を与えることにより、放電空間としての内部空間７内に多数の微細放電が発生する（誘電体バリア放電）。そして、その際に放電ガスＸの電離により形成された放電プラズマが紫外線を放射する。例えば、放電ガスＸとしてキセノンを使用した場合には、放電プラズマは１４７ｎｍ及び１７２ｎｍをピークとする紫外線を放射する。
【００３３】
本実施形態の平面型放電管１では、底部５の内表面５ｂに蛍光体１５が塗布されており、蛍光体１５は上記紫外線放射により可視光を発する。そして、この蛍光体１５が発する可視光が照射面（発光面）としての蓋部４から外部に照射される。尚、本実施形態では、底部５側に発せられた可視光もまた、底部５の外表面５ａに鏡面状に形成された外部電極１０により反射され蓋部４から照射される。
【００３４】
次に、上記第１の実施形態の特徴的な作用効果を以下に記載する。
（１）平面型放電管１は、扁平箱型に形成された筐体２を備え、筐体２の内部空間７には放電ガスＸが封入されることにより放電空間が形成される。平面型放電管１は、底部５の外表面５ａに敷設されることにより誘電体平板としての底部５を挟んで放電空間外に配置された外部電極１０と、放電空間内に配置される内部電極１１とを備え、内部電極１１は、底部５の内表面５ｂに近接して配置される。
【００３５】
このような構成とすれば、蓋部４と底部５との間隔を変更することなく、外部電極１０と内部電極１１との距離を近づけることができる。従って、放電に必要な電界強度（Ｖ／ｍ）を与えるための駆動電圧を低く抑えることができる。その結果、安価な外部電源が利用可能となるので、装置全体としてのコストを低く抑えることができる。
【００３６】
（２）内部電極１１は線状に形成される。これにより、ニッケル合金等のスパッタリングされ難い材質にて形成することが可能になるため、放電時のスパッタリングを抑えることができる。また、加工が容易となり、結果として製造コストを抑えることができる。更に、内部電極１１の陰影が発光の妨げとなることを防止することができる。
【００３７】
（３）内部電極１１は、底部５の内表面５ｂの周縁部近傍、箱部３の側壁９ｂに沿って配置される。従って、内部電極１１の陰影が発光の妨げとなることを防止することができる。
【００３８】
（第２の実施形態）
以下、本発明を平面型放電管に具体化した第２の実施形態について、図面に従って説明する。尚、説明の便宜上、上記第１の実施形態と同一の部分については同一の符号を付して説明を省略し、上記第１の実施形態と異なる部分を中心に説明する。
【００３９】
図３及び図４に示すように、本実施形態の平面型放電管２０は、複数（２本）の内部電極２１，２２を備えている。内部電極２１，２２は、それぞれ箱部２３（底部２５）の内表面２５ｂの周縁部近傍に対称的に配置されている。詳しくは、内部電極２１，２２は、それぞれ箱部２３の対向する２つの側壁２９ａ，２９ｂに沿って互いに並行するように配置されている。尚、本実施形態では、これら内部電極２１，２２の両端には、それぞれ給電線としてジメット線３３，３４が接続されており、内部電極２１，２２は、図示しないが、外部で結線され、同位相の交流電圧が印加される。そして、内部電極２１，２２は、これらのジメット線３３，３４により放電空間内に支持されている。
【００４０】
ここで、放電時、放電ガスＸが電離することにより放電プラズマが形成されるが、放電プラズマは、少なからずインピーダンス（電気抵抗）を有していることから、通常は、放電プラズマの形成に伴う紫外線の放射量分布は内部電極から離れるに従って弱くなる傾向がある。
【００４１】
しかし、上記本実施形態の平面型放電管２０のように、内部電極２１，２２を箱部２３（底部２５）の内表面２５ｂの周縁部近傍に対称的に配置することで、放電空間における紫外線の放射量分布を均一化することができ、これにより照射面である蓋部４の全面において一様な発光を得ることができる。
【００４２】
（第３の実施形態）
以下、本発明を平面型放電管に具体化した第３の実施形態について説明する。尚、説明の便宜上、上記第２の実施形態と同一の部分については同一の符号を付して説明を省略し、上記第２の実施形態と異なる部分を中心に説明する。
【００４３】
図５及び図６に示すように、本実施形態の平面型放電管４０は、筐体４１の剛性強度を補強する補強部材及び区画部材としての誘電体リブ４２ａ〜４２ｃを備えている。各誘電体リブ４２ａ〜４２ｃは、ガラス等の透明誘電体により形成されている。各誘電体リブ４２ａ〜４２ｃは、箱部４３の（底部４５）の内表面４５ｂに立設され、蓋部４４方向に向かって延設されている。本実施形態では、各誘電体リブ４２ａ〜４２ｃの先端は、蓋部４４に当接している。そして、蓋部４４及び底部４５は、これら誘電体リブ４２ａ〜４２ｃにより支持されている。
【００４４】
また、本実施形態では、各誘電体リブ４２ａ〜４２ｃは、内部電極２１，２２と略直交する方向に向かって延設されている。そして、各誘電体リブ４２ａ〜４２ｃは、放電空間として内部空間４７を複数の小空間４８ａ〜４８ｄに区画している。尚、本実施形態では、各誘電体リブ４２ａ〜４２ｃは、蓋部４４における有効照射面積を広くとるため、底部４５から蓋部４４方向に向かって細くなるテーパ状に形成されている。
【００４５】
次に、上記のように構成された平面型放電管４０と従来の平面型放電管との比較について説明する。
先ず、平面型放電管の一般的な印加電圧／発光輝度特性について説明する。
【００４６】
図７（ａ）は、平面型放電管の印加電圧／発光輝度特性を示すグラフであり、図７（ｂ）は、第３の実施形態の平面型放電管４０と従来の平面型放電管の駆動電圧の実測値を示す説明図である。
【００４７】
図７（ａ）に示すように、一般に、平面型放電管においては、両電極間に印加する高周波交流電圧を上げていくと、放電空間の一部で放電が発生し、放電プラズマの形成により平面型放電管（発光面）の一部が発光する。このときの電圧を部分起動電圧Ｖ１とする。そして、更に印加電圧を上げていくと、放電プラズマが放電空間全体において形成され、これにより発光面全体が発光する。このときの電圧を全体起動電圧Ｖ２とする。尚、印加電圧が全体起動電圧Ｖ２を超えた後は、印加電圧に比例して発光輝度が高くなる。
【００４８】
次に、印加電圧を徐々に下げていくと、放電空間全体における放電プラズマ形成状態を維持することができなくなり、発光面の一部に発光しない部分が生ずる。この全体発光状態を維持しうる限界電圧を全体維持電圧Ｖ３とする。そして、更に印加電圧を下げていくと、完全に放電状態を維持することができなくなり消灯状態となる。そして、このときの電圧を部分維持電圧Ｖ４とする。
【００４９】
このように、通常、平面型放電管においては、放電を開始するために必要な起動電圧（部分起動電圧Ｖ１，全体起動電圧Ｖ２）は、放電状態を維持するための維持電圧（全体維持電圧Ｖ３，部分維持電圧Ｖ４）よりも高い電圧を必要とする。
【００５０】
図７（ｂ）に示すように、第３の実施形態の平面型放電管４０の駆動電圧は、部分起動電圧Ｖ１が１．０ＫＶ、全体起動電圧Ｖ２が２．２ＫＶ、全体維持電圧Ｖ３が２．２ＫＶ、そして部分維持電圧Ｖ４が１．０ＫＶとなっている。これに対し、従来の平面型放電管の駆動電圧は、部分起動電圧Ｖ１が２．５ＫＶ、全体起動電圧Ｖ２が３．９ＫＶ、全体維持電圧Ｖ３が３．２ＫＶ、そして部分維持電圧Ｖ４が１．８ＫＶとなっている。
【００５１】
即ち、第３の実施形態の平面型放電管４０は、従来の平面型放電管と比較して、部分起動電圧Ｖ１で１．５ＫＶ、全体起動電圧Ｖ２で１．７ＫＶ、全体維持電圧Ｖ３で１．０ＫＶ、そして部分維持電圧Ｖ４で０．８ＫＶと、駆動電圧が全体的に低くなっており、全体的に駆動電圧が低く抑えられている。
【００５２】
次に、上記第３の実施形態の特徴的な作用効果を以下に記載する。
（１）平面型放電管４０には、誘電体リブ４２ａ〜４２ｃを備えた。誘電体リブ４２ａ〜４２ｃは、箱部４３の（底部４５）の内表面４５ｂに立設され、各誘電体リブ４２ａ〜４２ｃの先端は、蓋部４４に当接される。
【００５３】
このような構成とすれば、蓋部４４及び底部４５が誘電体リブ４２ａ〜４２ｃによって支持され、内部空間４７内の放電ガスＸのガス圧と大気圧との圧力差、即ち内外圧力差に対する筐体４１の剛性強度が高くなる。これにより、蓋部４４及び底部４５を薄く形成することが可能になるので、外部電極１０と内部電極２１，２２との距離を近くすることができるとともに、放電時の誘電損を抑制することができる。従って、放電に必要な電界強度（Ｖ／ｍ）を与えるための駆動電圧を低く抑えることができる。その結果、安価な外部電源が利用可能となり、装置全体としてのコストを低く抑えることができる。
【００５４】
（２）各誘電体リブ４２ａ〜４２ｃを内部電極２１，２２と略直交する方向に向かって延設することにより、放電空間として内部空間４７を、各誘電体リブ４２ａ〜４２ｃにて複数の小空間４８ａ〜４８ｄに区画した。
【００５５】
このような構成とすれば、各誘電体リブ４２ａ〜４２ｃにより、放電プラズマの放電路に対し直角方向への空間的広がりが規制され、各小空間４８ａ〜４８ｄ内での安定的な放電プラズマ形成がなされる。これにより、両電極への高電圧印加時における稲妻状（雷状）の陽光柱の発生を抑制することができ、一様且つ安定的な発光状態を得ることができる。更に、両電極間へ印加電圧を高め電界強度を上げることが可能になるので、より高い発光輝度（ｃｄ／平方メートル）を得ることができる。
【００５６】
（３）各誘電体リブ４２ａ〜４２ｃは、底部４５から蓋部４４方向に向かって細くなるテーパ状に形成されている。従って、蓋部４４における有効照射面積を広くとることができ、良好な発光状態を得ることができる。
【００５７】
尚、上記各実施形態は以下のように変更してもよい。
・平面型放電管１，２０，４０，５０は、液晶表示装置のバックライト等の他、照明装置として用いてもよい。
【００５８】
・上記各実施形態では、扁平箱型に形成された筐体２の内部空間７に放電ガスＸを封入することにより放電空間を形成した。しかし、これに限らず、一対の誘電体平板を所定間隔にて対向配置するとともに周縁部を封止し、両誘電体平板間に放電ガスを封入することにより放電空間を形成する構成としてもよい。
【００５９】
・上記各実施形態では、平面型放電管１は、扁平箱型に形成された筐体２を有することとしたが、筐体の形状は、扁平形状であれば、扁平円筒形状であっても扁平多角筒形状であってもよい。
【００６０】
・上記各実施形態では、底部５（２５，４５）の内表面５ｂ（２５ｂ，４５ｂ）に蛍光体１５を塗布し、紫外線放射により蛍光体１５が発する可視光を照射面（発光面）としての蓋部４（４４）から外部に照射する構成とした。しかし、これに限らず、蛍光体１５を塗布することなく、放電プラズマ形成により放射される紫外線を外部照射する構成としてもよい。尚、その際には、筐体及び誘電体リブが、石英ガラス等の紫外線透過性の誘電体にて形成することが好ましい。
【００６１】
・上記各実施形態では、内部電極１１（２１，２２）は、底部５の内表面５ｂに近接して配置されることとした。しかし、外部電極１０と内部電極１１（２１，２２）との距離は、特段定められるものではない。即ち、より駆動電圧を抑制するためには、外部電極１０と内部電極１１（２１，２２）との距離は、近い程好ましく、例えば、内部電極１１（２１，２２）を底部５の内表面５ｂ（蛍光体１５）に接触させるよう配置しても構わない。尚、この場合、内部電極１１（２１，２２）と内表面５ｂ（蛍光体１５）との接触面において発光が妨げられることになるが、内部電極１１（２１，２２）を線状とすることにより、その影響を略皆無とすることができる。
【００６２】
・上記各実施形態では、外部電極１０は、底部５（２５，４５）の外表面５ａ（２５ａ，４５ａ）に敷設することとしたが、蓋部４の外表面に敷設してもよい。
【００６３】
・また、外部電極１０は、アルミ又は銀等の金属を外表面５ａ（２５ａ，４５ａ）に蒸着することにより鏡面状に形成したが、酸化インジウムスズ（ＩＴＯ）等の透明電極を敷設してもよい。このような構成とすれば、底部の外表面も照射面とすることができる。
【００６４】
・上記第１の実施形態では、内部電極１１は、底部５の内表面５ｂの周縁部近傍、箱部３の側壁９ｂに沿って配置されることとしたが、内表面５ｂの中央部等、放電空間内であればどのように配置してもよい。
【００６５】
・上記第２及び第３の実施形態では、平面型放電管２０（４０）は、２本の内部電極２１，２２を備えることとしたが、内部電極の数を２本に限るものではない。例えば、図８に示す平面型放電管５０のように、誘電体リブ５２ａ〜５２ｃにより区画された小空間毎に対応する内部電極６２ａ〜６２ｈを設け、それぞれに同位相の高周波交流電圧を印加する構成としてもよい。
【００６６】
・上記第３の実施形態では、平面型放電管４０は、３本の誘電体リブ４２ａ〜４２ｃを備えることとしたが、誘電体リブは一本でもよく、４本以上の誘電体リブを設けてもよい。
【００６７】
・上記第３の実施形態では、各誘電体リブ４２ａ〜４２ｃの先端は、蓋部４４に当接されることとしたが、当接しない構成としてもよい。
・上記第３の実施形態では、各誘電体リブ４２ａ〜４２ｃが補強部材及び区画部材を構成することとしたが、補強部材と区画部材とを別部材としてもよい。
【００６８】
次に、上記各実施の形態から把握できる技術的思想について、以下にその効果とともに記載する。
（イ）請求項１に記載の平面型放電管において、前記内部電極は、線状に形成されること、を特徴とする平面型放電管。
【００６９】
（ロ）請求項１又は前記（イ）に記載の平面型放電管において、前記内部電極は、前記外部電極が設けられた前記誘電体平板の内表面に近接して配置されること、を特徴とする平面型放電管。
【００７０】
（ハ）請求項１、前記（イ）又は（ロ）に記載の平面型放電管において、前記内表面の周縁部近傍に対称的に配置された複数の前記内部電極を備えること、を特徴とする平面型放電管。
【００７１】
（ニ）請求項１、前記（イ）、（ロ）又は（ハ）に記載の平面型放電管において、前記両誘電体平板を支持する補強部材を備えること、を特徴とする平面型放電管。
【００７２】
（ホ）請求項１、前記（イ）、（ロ）、（ハ）又は（ニ）に記載の平面型放電管において、前記放電空間を複数の小空間に区分する区画部材を備えること、を特徴とする平面型放電管。
【００７３】
【発明の効果】
本発明によれば、より駆動電圧の低い平面型放電管を提供することができる。
【図面の簡単な説明】
【図１】第１実施形態の平面型放電管の斜視図。
【図２】第１実施形態の平面型放電管の断面図。
【図３】第２実施形態の平面型放電管の斜視図。
【図４】第２実施形態の平面型放電管の断面図。
【図５】第３実施形態の平面型放電管の斜視図。
【図６】第３実施形態の平面型放電管の断面図。
【図７】（ａ）平面型放電管の印加電圧／発光輝度特性を示すグラフ。
（ｂ）第３の実施形態の平面型放電管と従来の平面型放電管の駆動電圧の実測値を示す説明図。
【図８】別例の平面型放電管の斜視図。
【符号の説明】
１，２０，４０，５０…平面型放電管、２，４１…筐体、３，２３，４３…箱部、４，４４…蓋部、５，２５，４５…底部、５ａ，２５ａ，４５ａ…外表面、５ｂ，２５ｂ，４５ｂ…内表面、７，４７…内部空間、１０…外部電極、１１，２１，２２，６２ａ〜６２ｈ…内部電極、４２ａ〜４２ｃ，５２ａ〜５２ｃ…誘電体リブ、４８ａ〜４８ｄ…小空間、Ｘ…放電ガス。
【図１】
2005011772.tif 000003
【図２】
2005011772.tif 000004
【図３】
2005011772.tif 000005
【図４】
2005011772.tif 000006
【図５】
2005011772.tif 000007
【図６】
2005011772.tif 000008
【図７】
2005011772.tif 000009
【図８】
2005011772.tif 000010